(57)【特許請求の範囲】
【請求項１】
原料を積み付ける屋外のヤードの一部に堰を設けることで、前記ヤードの排水を貯留可能で、且つ重機で進入可能なバッファ槽を形成しておき、
前記バッファ槽に貯留された排水に沈降促進のための凝集剤を投入し、
前記凝集剤の投入により前記バッファ槽に沈降した堆積物を重機で掻き出すことを特徴とするヤード排水処理方法。
【請求項２】
前記バッファ槽に貯留された排水を、排水ピットへと集水し、
前記排水ピットに集水された排水を、排水処理設備へと送ることを特徴とする請求項１に記載のヤード排水処理方法。
【請求項３】
排水を貯留した他の排水ピットがあり、
前記排水ピットとは異なる他の排水ピットに貯留した排水を、排水ポンプによって集めて前記バッファ槽に放流すると共に、放流した箇所で前記凝集剤を投入することを特徴とする請求項２に記載のヤード排水処理方法。
【発明の詳細な説明】
【技術分野】
【０００１】
本発明は、ヤード排水処理方法に関するものである。
【背景技術】
【０００２】
図２は、ヤードの一例を上方から見た図であり、図３は、ヤードの排水溝や埋設配水管の一例を示す断面図である。
ヤードの中の水は、排水溝や埋設配水管を介して排水ピットに集められ、排水ピットに集められた水は、排水ポンプを介して排水処理設備へと送られ、再利用されたり、放流されたりする。
【０００３】
こうしたヤードの水処理設備に関する技術としては、薬剤を投入したり、数種の排水を混合したりすることで、排水のＰＨ調整や凝集沈降を促進する技術がある（例えば特許文献１〜４参照）。
一方、降雨などで大量の排水が発生することもあるため、排水処理設備に対しても安価で最適な運用を指向する技術開発がなされてきた。排水処理に関する技術としては、排水機能の維持、原料（貯留物）の水分含有率の低減、降雨時の排水設備の前処理（濾過など）を目的とし、濾過機能（多孔質、粒塊状物質充填材、有孔管など）がある透水性の材料を利用した排水方法がある（例えば特許文献５〜９参照）。
【先行技術文献】
【特許文献】
【０００４】
【特許文献１】特開２００２−１７２３９４号公報
【特許文献２】特許第３８９０４６１号公報
【特許文献３】特許第３９３９９７０号公報
【特許文献４】特開２０１０−１７６６８号公報
【特許文献５】特開昭５９−８２２０５号公報
【特許文献６】特公昭６１−４４７６３号公報
【特許文献７】特許第２６９４９７３号公報
【特許文献８】特開２００１−１５１３４８号公報
【特許文献９】特開２００６−１２４１２１号公報
【発明の概要】
【発明が解決しようとする課題】
【０００５】
特許文献９に記載された技術のように、ヤードの排水処理設備の能力については、年間降水量のピーク値を想定し、必要とされる排水処理能力よりも低い能力の排水処理設備を設置しているのが一般的である。したがって、台風など、短期間に大量の降雨がもたらされた場合に、排水処理能力が不足し、排水の水質が低下する可能性がある。
しかしながら、年間の一割にも満たない日数のために、大規模な排水処理設備を増強することは、設備費用の面から現実的ではない。
【０００６】
また、排水する系統の途中に、濾過設備を設けると、大量の降雨がもたらされた場合、濾過抵抗や降雨初期の高濃度排水による目詰まりが発生し、降雨量に対してヤードの排水能力が不足する可能性もある。
本発明の課題は、安価に、且つ簡便な方法で、ヤードの排水処理能力を向上させることである。
【課題を解決するための手段】
【０００７】
本発明の一態様に係るヤード排水処理方法によれば、原料を積み付ける屋外のヤードの一部に堰を設けることで、ヤードの排水を貯留可能で、且つ重機で進入可能なバッファ槽を形成しておき、バッファ槽に貯留された排水に沈降促進のための凝集剤を投入し、凝集剤の投入によりバッファ槽に沈降した堆積物を重機で掻き出すことを特徴とする。
本発明の一態様に係るヤード排水処理方法によれば、バッファ槽に貯留された排水を、排水ピットへと集水し、排水ピットに集水された排水を、排水処理設備へと送ることを特徴とする。
【０００８】
本発明の一態様に係るヤード排水処理方法によれば、排水を貯留した他の排水ピットがあり、他の排水ピットに集水した排水を、排水処理設備に送る前に、排水ポンプによって集めてバッファ槽に放流すると共に、放流した箇所で凝集剤を投入することを特徴とする。
【発明の効果】
【０００９】
本発明の一態様に係るヤード排水処理方法によれば、バッファ槽に貯留された排水に沈降促進のための凝集剤を投入すると共に、バッファ槽に沈降した堆積物を重機で掻き出すことにより、排水処理設備の負荷が軽減する。したがって、現状のヤードを利用し、安価に、且つ簡便な方法で、ヤードの排水処理能力を向上させることができる。
【図面の簡単な説明】
【００１０】
【図１】ヤード１の概略構成図である。
【図２】従来例におけるヤードの一例を上方から見た図である。
【図３】従来例におけるヤードの排水溝や埋設配水管の一例を示す断面図である。
【発明を実施するための形態】
【００１１】
以下、本実施形態について説明する。
図１は、ヤード１の概略構成図である。
図中の（ａ）はヤード１を上方から見た図であり、（ｂ）はヤード１を短手方向から見た断面図であり、（ｃ）は堰の断面図である。
屋外のヤード１は、側壁によって略長方形に区画されており、長手方向の一方側に寄せて原料２が積み付けられている。ヤード１において、長手方向の両端には、ヤード１内の排水が集水される排水ピット３、４が設けられている。
【００１２】
排水ピット３に集水された排水は、図示しない排水処理設備へと送られ、再利用されたり、放流されたりする。
しかしながら、台風など、短期的に大量の降雨がもたらされた場合には、排水処理能力が不足し、排水の水質が低下する可能性がある。
そこで、ヤード１において、長手方向の他方側には、短手方向に延在する二つの堰５によって仕切られたバッファ槽６を形成している。
【００１３】
堰５は、ヤード面７よりも高く隆起させて形成してあり、ショベル等の重機が、ヤード面７からバッファ槽６へと進入することができる。すなわち、堰５の段差は、重機が進入可能な高さや傾斜角に設定されている。
この堰５の形成により、バッファ槽６には、雨水や、また発塵対策のために原料に散水された水分等が溜まる。また、排水ピット４に集水された排水が排水ポンプ８によって放流される。
【００１４】
そして、排水ポンプ８によって排水が放流される箇所で、バッファ槽６に貯留された排水に対して、沈降促進のための凝集剤を投入する。凝集剤は、例えば硫酸アルミニウムやポリ塩化アルミニウム等である。
そして、堰６の一部を開放し、排水ピット３へと集水し、バッファ槽６に沈降した堆積物をショベル等の重機で掻き出す。
【００１５】
このように、バッファ槽６に沈降促進の凝集剤を投入してから排水ピット３へと集水することで、排水処理設備の負荷が軽減する。したがって、現状のヤードを利用し、安価に、且つ簡便な方法で、ヤードの排水処理能力を向上させることができる。
従来は、排水溝や埋設配水管しかなかったので、そこに貯留できる排水は僅かしかなかった。しかしながら、本実施形態のように、排水処理のためにヤード１の一部を転用することで、排水処理能力を向上させることができる。
【００１６】
また、排水ピット４からの排水が放流される箇所で、凝集剤を投入すると、凝集剤が撹拌されることにより、効果的な凝集作用が得られる。したがって、排水処理設備の負荷が更に軽減し、排水処理能力を向上させることができる。
なお、本実施形態の主旨を逸脱しない範囲で、各構成の数量、サイズ、形状などは、任意に変更することができる。
【符号の説明】
【００１７】
１  ヤード
２  原料
３  排水ピット
４  排水ピット
５  堰
６  バッファ槽
７  ヤード面
８  排水ポンプ
【図１】
0005987441.tif 000002
【図２】
0005987441.tif 000003
【図３】
0005987441.tif 000004